【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
表示状態が変化可能な可変表示装置を含み、前記可変表示装置の表示結果が特定の表示態様となった場合に遊技者にとって有利な特定遊技状態に制御可能な遊技機であって、
前記遊技機の遊技状態を制御する遊技制御手段と、
遊技状態に応じて音による演出を行なう演出手段と、
前記可変表示装置を可変表示させた後表示結果を導出表示させる制御を行なう可変表示制御手段と、
前記演出手段を制御させる演出制御手段とを備え、
前記遊技制御手段は、
前記可変表示装置の表示結果を決定するための表示結果決定手段と、
前記可変表示装置の可変開始から表示結果を導出表示するまでの時間を含む可変表示内容を決定するための可変表示内容決定手段とを含み、
前記可変表示装置の可変表示が開始するタイミングで前記表示結果を特定する表示結果コマンドと前記可変表示内容を特定する表示内容コマンドとを出力するとともに、前記可変表示装置の表示結果を導出表示するタイミングで可変表示終了コマンドを出力し、
前記可変表示制御手段は、前記可変表示終了コマンドの出力されるタイミングで前記可変表示装置の表示結果を導出表示させ、
前記演出制御手段は、前記演出手段における演出パターンを前記可変表示制御手段とは独立して決定することを特徴とする、遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】変更
【補正の内容】
【０００４】
この発明の目的の１つは、可変表示装置の可変開始時期と表示結果を導出表示させる時期とが特定できる遊技機を提供することである。
【手続補正４】
【補正対象書類名】明細書
【補正対象項目名】０００５
【補正方法】変更
【補正の内容】
【０００５】
上述の目的を達成するためにこの発明のある局面に従うと、請求項１に記載の発明は、表示状態が変化可能な可変表示装置を含み、前記可変表示装置の表示結果が特定の表示態様となった場合に遊技者にとって有利な特定遊技状態に制御可能な遊技機であって、
前記遊技機の遊技状態を制御する遊技制御手段と、
遊技状態に応じて音による演出を行なう演出手段と、
前記可変表示装置を可変表示させた後表示結果を導出表示させる制御を行なう可変表示制御手段と、
前記演出手段を制御させる演出制御手段とを備え、
前記遊技制御手段は、
前記可変表示装置の表示結果を決定するための表示結果決定手段と、
前記可変表示装置の可変開始から表示結果を導出表示するまでの時間を含む可変表示内容を決定するための可変表示内容決定手段とを含み、
前記可変表示装置の可変表示が開始するタイミングで前記表示結果を特定する表示結果コマンドと前記可変表示内容を特定する表示内容コマンドとを出力するとともに、前記可変表示装置の表示結果を導出表示するタイミングで可変表示終了コマンドを出力し、
前記可変表示制御手段は、前記可変表示終了コマンドの出力されるタイミングで前記可変表示装置の表示結果を導出表示させ、
前記演出制御手段は、前記演出手段における演出パターンを前記可変表示制御手段とは独立して決定することを特徴とする。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
[作用]
請求項１に記載の発明によれば、次のように作用する。遊技制御手段の働きにより、遊技機の遊技状態が制御される。演出手段の働きにより、遊技状態に応じて音による演出が行なわれる。可変表示制御手段の働きにより、可変表示装置を可変表示させた後表示結果を導出表示させる制御が行なわれる。演出制御手段の働きにより、演出手段が制御される。表示結果決定手段の働きにより、可変表示装置の表示結果が決定される。可変表示内容決定手段の働きにより、可変表示装置の可変開始から表示結果を導出表示するまでの時間を含む可変表示内容が決定される。表示結果決定手段と可変表示内容決定手段とは遊技制御手段に含まれる。遊技制御手段の働きにより、可変表示装置の可変表示が開始するタイミングで表示結果を特定する表示結果コマンドと可変表示内容を特定する表示内容コマンドとが出力されるとともに、可変表示装置の表示結果が導出表示するタイミングで可変表示終了コマンドが出力される。可変表示制御手段の働きにより、可変表示終了コマンドの出力されるタイミングで可変表示装置の表示結果が導出表示される。
【手続補正１３】
【補正対象書類名】明細書
【補正対象項目名】００１４
【補正方法】変更
【補正の内容】
【００１４】
演出制御手段の働きにより、演出手段における演出パターンが可変表示制御手段とは独立して決定される。
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】変更
【補正の内容】
【００２２】
請求項１に記載の発明によれば、次のような効果を得ることができる。可変表示内容決定手段は、可変表示装置の可変開始から表示結果を導出表示するまでの時間を含む可変表示内容を決定し、遊技制御手段は、可変表示装置の可変表示が開始するタイミングで表示結果を特定する表示結果コマンドと可変表示内容を特定する表示内容コマンドとを出力するとともに、可変表示装置の表示結果を導出表示するタイミングで可変表示終了コマンドを出力することにより、可変表示制御手段は、可変表示装置の可変開始時期と表示結果を導出表示させる時期とを特定することができ、可変表示終了コマンドの出力されるタイミングで可変表示装置の表示結果を導出表示させることができる。
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】